(57)【要約】【課題】取付部材に対する取付性を向上することができ、回路設計の自由度を向上することができるワイヤハーネスを提供する。【解決手段】ワイヤハーネス１が、取付部材３に配索され主電線５を有する複数の電線７と、複数の電線７のうち主電線５が収容され主取付部９を介して取付部材３に取り付けられる主プロテクタ１１と、複数の電線７のうち主電線５以外の副電線１３が収容され副取付部１５を介して取付部材３に取り付けられる副プロテクタ１７とを有した。【選択図】図２
2020115708.tif 000002
【特許請求の範囲】
【請求項１】
取付部材に配索され主電線を有する複数の電線と、
複数の前記電線のうち前記主電線が収容され主取付部を介して前記取付部材に取り付けられる主プロテクタと、
複数の前記電線のうち前記主電線以外の副電線が収容され副取付部を介して前記取付部材に取り付けられる副プロテクタと、
を有することを特徴とするワイヤハーネス。
【請求項２】
請求項１記載のワイヤハーネスであって、
前記副プロテクタには、前記取付部材に取り付けられた状態で、前記副電線を収容可能な開口部が設けられていることを特徴とするワイヤハーネス。
【請求項３】
請求項１又は２記載のワイヤハーネスであって、
前記副プロテクタは、前記取付部材に取り付けられた前記主プロテクタに対して重ね合わされて配置され、
前記主取付部と前記副取付部とは、前記電線の長さ方向に沿って交互に複数設けられていることを特徴とするワイヤハーネス。
【請求項４】
請求項１乃至３のいずれか１項に記載のワイヤハーネスであって、
前記副プロテクタは、前記取付部材に取付可能なベース部と、前記副電線を収容可能で前記ベース部に取付可能な収容部とを有することを特徴とするワイヤハーネス。
【発明の詳細な説明】
【技術分野】
【０００１】
本発明は、ワイヤハーネスに関する。詳細には、複数の電線がプロテクタを介して取付部材に配索されるワイヤハーネスに関する。
【背景技術】
【０００２】
従来、ワイヤハーネスとしては、取付部材としての車両に配索される複数の電線としての電線束と、電線束が収容され車両に取り付けられるプロテクタとしての成形型とを備えたものが知られている（例えば、特許文献１参照）。
【０００３】
このワイヤハーネスでは、成形型を配索経路に合わせて樹脂成形し、この成形型内に電線束を収容し、成形型内にモールド樹脂を注入して硬化させることによって、ワイヤハーネスを一体成形し、この一体成形されたワイヤハーネスを車両に取り付けている。
【先行技術文献】
【特許文献】
【０００４】
【特許文献１】特開２０１２−２４８４０９号公報
【発明の概要】
【発明が解決しようとする課題】
【０００５】
ところで、上記特許文献１のようなワイヤハーネスでは、複数の電線とプロテクタとが一体に成形されているので、配索される電線の本数が増加した場合、ワイヤハーネスの重量が増大してしまう。
【０００６】
このため、取付部材に対してワイヤハーネスを取り付けるときに、ワイヤハーネスが重く、取付作業が困難になる恐れがあり、取付部材に対するワイヤハーネスの取付性が低下する可能性があった。
【０００７】
加えて、上記特許文献１のようなワイヤハーネスでは、複数の電線とプロテクタとが一体に成形されているので、新たな電線の追加や電線の分岐を行おうとしても、容易に電線の追加や分岐を行うことができず、回路設計の自由度が低下していた。
【０００８】
そこで、この発明は、取付部材に対する取付性を向上することができ、回路設計の自由度を向上することができるワイヤハーネスの提供を目的としている。
【課題を解決するための手段】
【０００９】
請求項１記載の発明は、取付部材に配索され主電線を有する複数の電線と、複数の前記電線のうち前記主電線が収容され主取付部を介して前記取付部材に取り付けられる主プロテクタと、複数の前記電線のうち前記主電線以外の副電線が収容され副取付部を介して前記取付部材に取り付けられる副プロテクタとを有することを特徴とするワイヤハーネスである。
【００１０】
このワイヤハーネスでは、複数の電線のうち主電線が収容され主取付部を介して取付部材に取り付けられる主プロテクタと、複数の電線のうち主電線以外の副電線が収容され副取付部を介して取付部材に取り付けられる副プロテクタとを有している。
【００１１】
このため、複数の電線が多く、その重量が増大している場合には、複数の電線を主電線と副電線とに分割し、取付部材に主プロテクタと副プロテクタとを取り付けることで、重量の大きな部材を取り扱うことなく、複数の電線を取付部材に配索することができ、取付部材に対するワイヤハーネスの取付性を向上することができる。
【００１２】
一方、新たな電線の追加や電線の分岐を行う場合には、予め取付部材に主電線が収容された主プロテクタを取り付けておき、新たな電線や分岐される電線である副電線を収容する副プロテクタを取付部材に取り付けることで、容易に副電線の追加や分岐を行うことができ、回路設計の自由度を向上することができる。
【００１３】
従って、このようなワイヤハーネスでは、取付部材に対する取付性を向上することができ、回路設計の自由度を向上することができる。
【００１４】
請求項２記載の発明は、請求項１記載のワイヤハーネスであって、前記副プロテクタには、前記取付部材に取り付けられた状態で、前記副電線を収容可能な開口部が設けられていることを特徴とする。
【００１５】
このワイヤハーネスでは、副プロテクタに、取付部材に取り付けられた状態で、副電線を収容可能な開口部が設けられているので、取付部材に取り付けられた副プロテクタの開口部から副電線を収容することで、副電線を取付部材に配索することができる。
【００１６】
請求項３記載の発明は、請求項１又は２記載のワイヤハーネスであって、前記副プロテクタは、前記取付部材に取り付けられた前記主プロテクタに対して重ね合わされて配置され、前記主取付部と前記副取付部とは、前記電線の長さ方向に沿って交互に複数設けられていることを特徴とする。
【００１７】
このワイヤハーネスでは、副プロテクタが、取付部材に取り付けられた主プロテクタに対して重ね合わされて配置され、主取付部と副取付部とが、電線の長さ方向に沿って交互に複数設けられているので、取付部材に対する主プロテクタと副プロテクタとの配置スペースを小型化することができる。
【００１８】
請求項４記載の発明は、請求項１乃至３のいずれか１項に記載のワイヤハーネスであって、前記副プロテクタは、前記取付部材に取付可能なベース部と、前記副電線を収容可能で前記ベース部に取付可能な収容部とを有することを特徴とする。
【００１９】
このワイヤハーネスでは、副プロテクタが、取付部材に取付可能なベース部と、副電線を収容可能でベース部に取付可能な収容部とを有するので、ベース部に対して収容部を取り付けることで、取付部材に対する副電線の配索を容易に行うことができる。
【発明の効果】
【００２０】
本発明によれば、取付部材に対する取付性を向上することができ、回路設計の自由度を向上することができるワイヤハーネスを提供することができるという効果を奏する。
【図面の簡単な説明】
【００２１】
【図１】本発明の実施の形態に係るワイヤハーネスが取り付けられた車両の概略図である。
【図２】本発明の第１実施形態に係るワイヤハーネスの断面図である。
【図３】本発明の第１実施形態に係るワイヤハーネスの平面図である。
【図４】本発明の第２実施形態に係るワイヤハーネスの断面図である。
【図５】本発明の第２実施形態に係るワイヤハーネスの平面図である。
【図６】本発明の第３実施形態に係るワイヤハーネスの断面図である。
【図７】参考例に係るワイヤハーネスの斜視図である。
【発明を実施するための形態】
【００２２】
図１〜図６を用いて本発明の実施の形態に係るワイヤハーネスについて説明する。
【００２３】
（第１実施形態）
図１〜図３を用いて第１実施形態について説明する。
【００２４】
本実施の形態に係るワイヤハーネス１は、取付部材３に配索され主電線５を有する複数の電線７と、複数の電線７のうち主電線５が収容され主取付部９を介して取付部材３に取り付けられる主プロテクタ１１と、複数の電線７のうち主電線５以外の副電線１３が収容され副取付部１５を介して取付部材３に取り付けられる副プロテクタ１７とを有する。
【００２５】
また、副プロテクタ１７には、取付部材３に取り付けられた状態で、副電線１３を収容可能な開口部１９が設けられている。
【００２６】
ここで、図１に示すように、例えば、本実施の形態に係るワイヤハーネス１は、車両２１に搭載された電気部品としての電動モータ２３と、バッテリ２５との間を電気的に接続する。
【００２７】
このワイヤハーネス１は、例えば、プラス回路やマイナス回路を構成する高圧電線と、オプション回路や分割回路を構成する低圧電線とを有しており、少なくとも高圧電線の両端部が電動モータ２３側とバッテリ２５側とにそれぞれ接続され、車両２１の床下に配索される。
【００２８】
以下、図１〜図３を用いてワイヤハーネス１の詳細について説明する。
【００２９】
図１〜図３に示すように、ワイヤハーネス１は、複数の電線７と、主プロテクタ１１と、副プロテクタ１７とを備えている。
【００３０】
複数の電線７は、主電線５と、副電線１３とを備えている。
【００３１】
主電線５は、例えば、電動モータ２３とバッテリ２５との間を電気的に接続し、プラス回路やマイナス回路を構成する高圧電線からなる。
【００３２】
副電線１３は、例えば、電動モータ２３とバッテリ２５との間や他の電気部品の間の情報を伝達する信号線、或いは他の電気部品の間を電気的に接続する幹線から分岐された分岐線などのオプション回路や分割回路を構成する低圧電線からなる。
【００３３】
この複数の電線７は、主電線５と副電線１３との本数が多く、その重量が増大している場合、或いはオプション回路や分割回路の追加により、副電線１３を追加する場合、主電線５と副電線１３とに分割されて取付部材３としての車両２１の床下に配索される。
【００３４】
このような主電線５と副電線１３とからなる複数の電線７は、主電線５が主プロテクタ１１に収容され、副電線１３が副プロテクタ１７に収容された状態で、取付部材３に配索される。
【００３５】
主プロテクタ１１は、合成樹脂などの絶縁性材料からなり、車両２１の所定の配索形状に沿って成形され、複数の電線７のうち主電線５を収容可能なように、断面凹状に形成されている。
【００３６】
この主プロテクタ１１には、幅方向の両側に電線７の長さ方向に沿って、取付部材３に設けられた複数の主被取付部２７にそれぞれ取り付けられる複数の主取付部９が設けられている。
【００３７】
取付部材３の主被取付部２７は、取付部材３から主プロテクタ１１側に向けて突設されたスタッドボルトからなり、主取付部９には、主被取付部２７が挿通される孔部が設けられている。
【００３８】
この複数の主取付部９は、主被取付部２７が孔部に挿通された状態で、主被取付部２７にナット２９を締結することにより、主プロテクタ１１が取付部材３に取り付けられる。
【００３９】
このような主プロテクタ１１は、主電線５を内部に収容した状態で、取付部材３に配置され、主取付部９を介して取付部材３に取り付けられる。
【００４０】
副プロテクタ１７は、合成樹脂などの絶縁性材料からなり、車両２１の所定の配索形状に沿って成形され、複数の電線７のうち主電線５以外の副電線１３を収容可能なように、断面凹状に形成されている。
【００４１】
この副プロテクタ１７には、幅方向の両側に電線７の長さ方向に沿って、取付部材３に設けられた複数の副被取付部３１にそれぞれ取り付けられる複数の副取付部１５が設けられている。
【００４２】
取付部材３の副被取付部３１は、取付部材３から副プロテクタ１７側に向けて突設されたスタッドボルトからなり、副取付部１５には、副被取付部３１が挿通される孔部が設けられている。
【００４３】
この複数の副取付部１５は、副被取付部３１が孔部に挿通された状態で、副被取付部３１にナット３３を締結することにより、副プロテクタ１７が取付部材３に取り付けられる。
【００４４】
ここで、取付部材３の隣り合う主被取付部２７と副被取付部３１とは、電線７の長さ方向に沿って交互に配置されている。
【００４５】
このように主被取付部２７と副被取付部３１とを配置することにより、取付部材３に主プロテクタ１１と副プロテクタ１７とを取り付けたときに、主プロテクタ１１と副プロテクタ１７とが近接して配置され、取付部材３に対する主プロテクタ１１と副プロテクタ１７との配置スペースを小型化することができる。
【００４６】
このような副プロテクタ１７は、副電線１３を内部に収容していない状態で、取付部材３に配置され、副取付部１５を介して取付部材３に取り付けられる。
【００４７】
このように取付部材３に取り付けられる副プロテクタ１７には、取付部材３に取り付けられた状態で、副電線１３を内部に収容可能な開口部１９が設けられている。
【００４８】
開口部１９は、副プロテクタ１７の取付部材３と反対側の面に、副電線１３を収容可能なように、電線７の長さ方向に沿って副プロテクタ１７の内部と外部とを連通して設けられている。
【００４９】
この開口部１９の縁部には、副プロテクタ１７の内部に向けて撓み可能に延設され、互いに近接する方向に傾斜された一対の可撓片３５，３５が設けられている。
【００５０】
このような開口部１９には、複数の電線７の重量が増大している場合や回路の変更を行う場合、副電線１３が挿入され、一対の可撓片３５，３５を通過した後、一対の可撓片３５，３５のいずれか一方側に移動され、副プロテクタ１７内に副電線１３が収容される。
【００５１】
このように取付部材３に副電線１３を収容可能な副プロテクタ１７を取り付けておくことで、複数の電線７の重量が増大している場合には、複数の電線７を主電線５と副電線１３とに分割し、主電線５を主プロテクタ１１と共に取付部材３に配索した後に、副電線１３を副プロテクタ１７に収容することができる。
【００５２】
このため、重量の大きな複数の電線７を同時に取り扱うことがなく、取付作業を容易にし、取付部材３に対するワイヤハーネス１の取付性を向上することができる。
【００５３】
一方、オプション回路や分割回路の追加により、新たに追加される電線や分岐される電線である副電線１３を取付部材３に配索させる場合には、予め取付部材３に取り付けられた副プロテクタ１７に対して、開口部１９から副電線１３を収容すればよい。
【００５４】
このため、容易に副電線１３の追加や分岐を行うことができ、回路設計の自由度を向上することができる。
【００５５】
このようなワイヤハーネス１の取付部材３に対する取付方法は、まず、主電線５が収容された主プロテクタ１１と、副電線１３が収容されていない副プロテクタ１７とを、それぞれ主取付部９と副取付部１５とを介して取付部材３に取り付ける。
【００５６】
そして、複数の電線７の重量が増大している場合や回路の変更を行う場合には、副プロテクタ１７の開口部１９から副電線１３を挿入し、副電線１３を副プロテクタ１７に収容し、取付作業を完了する。
【００５７】
このようなワイヤハーネス１では、複数の電線７のうち主電線５が収容され主取付部９を介して取付部材３に取り付けられる主プロテクタ１１と、複数の電線７のうち主電線５以外の副電線１３が収容され副取付部１５を介して取付部材３に取り付けられる副プロテクタ１７とを有している。
【００５８】
このため、複数の電線７が多く、その重量が増大している場合には、複数の電線７を主電線５と副電線１３とに分割し、取付部材３に主プロテクタ１１と副プロテクタ１７とを取り付けることで、重量の大きな部材を取り扱うことなく、複数の電線７を取付部材３に配索することができ、取付部材３に対するワイヤハーネス１の取付性を向上することができる。
【００５９】
一方、新たな電線の追加や電線の分岐を行う場合には、予め取付部材３に主電線５が収容された主プロテクタ１１を取り付けておき、新たな電線や分岐される電線である副電線１３を収容する副プロテクタ１７を取付部材３に取り付けることで、容易に電線の追加や分岐を行うことができ、回路設計の自由度を向上することができる。
【００６０】
従って、このようなワイヤハーネス１では、取付部材３に対する取付性を向上することができ、回路設計の自由度を向上することができる。
【００６１】
また、副プロテクタ１７には、取付部材３に取り付けられた状態で、副電線１３を収容可能な開口部１９が設けられているので、取付部材３に取り付けられた副プロテクタ１７の開口部１９から副電線１３を収容することで、副電線１３を取付部材３に配索することができる。
【００６２】
（第２実施形態）
図４，図５を用いて第２実施形態について説明する。
【００６３】
本実施の形態に係るワイヤハーネス１０１は、副プロテクタ１０３が、取付部材３に取り付けられた主プロテクタ１１に対して重ね合わされて配置され、主取付部９と副取付部１５とが、電線７の長さ方向に沿って交互に複数設けられている。
【００６４】
なお、第１実施形態と同様の構成には、同一の記号を記して構成及び機能説明は第１実施形態を参照するものとし省略するが、第１実施形態と同一の構成であるので、得られる効果は同一である。
【００６５】
図４，図５に示すように、複数の電線７の重量が増大している場合や回路の変更を行う場合、副プロテクタ１０３は、副電線１３が収容された状態で、取付部材３に取り付けられた主プロテクタ１１に対して重ね合わせて配置される。
【００６６】
このように副プロテクタ１０３を主プロテクタ１１に重ね合わせることにより、取付部材３に対する主プロテクタ１１と副プロテクタ１０３との配置スペースを小型化することができる。
【００６７】
このように配置された主プロテクタ１１の主取付部９と副プロテクタ１０３の副取付部１５とは、電線７の長さ方向に沿って交互に複数設けられている。
【００６８】
このように主取付部９と副取付部１５とを設けることにより、主取付部９と副取付部１５とが、主プロテクタ１１と副プロテクタ１０３との幅方向に張り出すことなく、コンパクトに配置することができる。
【００６９】
このようなワイヤハーネス１０１の取付部材３に対する取付方法は、まず、主電線５が収容された主プロテクタ１１を主取付部９を介して取付部材３に取り付ける。
【００７０】
そして、複数の電線７の重量が増大している場合や回路の変更を行う場合には、副プロテクタ１０３に副電線１３を収容し、主プロテクタ１１に副プロテクタ１０３を重ね合わせ、副プロテクタ１０３を副取付部１５を介して取付部材３に取り付け、取付作業を完了する。
【００７１】
このようなワイヤハーネス１０１では、副プロテクタ１０３が、取付部材３に取り付けられた主プロテクタ１１に対して重ね合わされて配置され、主取付部９と副取付部１５とが、電線７の長さ方向に沿って交互に複数設けられているので、取付部材３に対する主プロテクタ１１と副プロテクタ１０３との配置スペースを小型化することができる。
【００７２】
（第３実施形態）
図６を用いて第３実施形態について説明する。
【００７３】
本実施の形態に係るワイヤハーネス２０１は、副プロテクタ２０３が、取付部材３に取付可能なベース部２０５と、副電線１３を収容可能でベース部２０５に取付可能な収容部２０７とを有する。
【００７４】
なお、他の実施形態と同様の構成には、同一の記号を記して構成及び機能説明は他の実施形態を参照するものとし省略するが、他の実施形態と同一の構成であるので、得られる効果は同一である。
【００７５】
図６に示すように、副プロテクタ２０３は、ベース部２０５と、収容部２０７とを備えている。
【００７６】
ベース部２０５は、板状に形成され、取付部材３に設けられた複数の副被取付部３１にそれぞれ取り付けられる複数の副取付部１５が設けられている。
【００７７】
このベース部２０５は、主プロテクタ１１と共に、予め取付部材３に副取付部１５を介して取り付けられる。
【００７８】
収容部２０７は、副電線１３を収容可能なように、断面凹状に形成され、係合部（不図示）を介してベース部２０５に取り付けられる。
【００７９】
この収容部２０７は、複数の電線７の重量が増大している場合や回路の変更を行う場合、副電線１３を収容した状態で、ベース部２０５に取り付けられる。
【００８０】
このように副電線１３を収容する収容部２０７を予め取付部材３に取り付けられたベース部２０５に取り付けることにより、複数の電線７の重量増大や回路の変更に容易に対応することができる。
【００８１】
このようなワイヤハーネス２０１の取付部材３に対する取付方法は、まず、主電線５が収容された主プロテクタ１１と、副プロテクタ２０３のベース部２０５とを、それぞれ主取付部９と副取付部１５とを介して取付部材３に取り付ける。
【００８２】
そして、複数の電線７の重量が増大している場合や回路の変更を行う場合には、副プロテクタ２０３の収容部２０７に副電線１３を収容し、ベース部２０５に収容部２０７を取り付け、取付作業を完了する。
【００８３】
このようなワイヤハーネス２０１では、副プロテクタ２０３が、取付部材３に取付可能なベース部２０５と、副電線１３を収容可能でベース部２０５に取付可能な収容部２０７とを有するので、ベース部２０５に対して収容部２０７を取り付けることで、取付部材３に対する副電線１３の配索を容易に行うことができる。
【００８４】
なお、本発明の実施の形態に係るワイヤハーネスでは、主電線や副電線の本数が各実施形態で異なっているが、主電線や副電線の本数は、複数の電線の重量や回路の変更の状況に応じて適宜選択すればよい。
【００８５】
また、開口部を有する副プロテクタと、主プロテクタに重ね合わされる副プロテクタと、ベース部と収容部とを有する副プロテクタとは、それぞれ独立している構成を示しているが、これに限らず、開口部を有する副プロテクタを主プロテクタに重ね合わせるなど、副プロテクタがそれぞれの特徴を複合して有していてもよい。
【００８６】
また、主取付部と副取付部とは、スタッドボルトからなる主被取付部と副被取付部とにナットを介して取り付けられているが、これに限らず、例えば、主取付部と副取付部とをクリップとし、主被取付部と副被取付部とを穴部として、クリップ固定とするなど、取付部材に主プロテクタと副プロテクタとを取り付けられる構造であれば、主取付部及び副取付部と主被取付部及び副被取付部とはどのような形態であってもよい。
【００８７】
さらに、ベース部と収容部とを有する副プロテクタは、ベース部に収容部が２つ取り付けられているが、これに限らず、ベース部に収容部を１つ、或いは３つ以上取り付けるようにしてもよい。
【００８８】
（参考例）
ここで、参考例としてのワイヤハーネス３０１を図７に示す。
【００８９】
このワイヤハーネス３０１は、主電線５（図２参照）を収容し、取付部材３（図２参照）に取り付けられる主プロテクタ１１に、副電線１３の外周に巻き付けられた固定部材３０３を取り付けている。
【００９０】
主プロテクタ１１には、固定部材３０３を取付可能な固定部３０５が複数設けられており、複数の電線７の重量が増大している場合や回路の変更を行う場合、固定部３０５に固定部材３０３を取り付けることによって、副電線１３を取付部材３に配索することができる。
【００９１】
このようなワイヤハーネス３０１であっても、複数の電線７の重量増大や回路の変更に容易に対応することができる。
【符号の説明】
【００９２】
１，１０１，２０１…ワイヤハーネス
３…取付部材
５…主電線
７…電線
９…主取付部
１１…主プロテクタ
１３…副電線
１５…副取付部
１７，１０３，２０３…副プロテクタ
１９…開口部
２０５…ベース部
２０７…収容部
【図１】
2020115708.tif 000003
【図２】
2020115708.tif 000004
【図３】
2020115708.tif 000005
【図４】
2020115708.tif 000006
【図５】
2020115708.tif 000007
【図６】
2020115708.tif 000008
【図７】
2020115708.tif 000009